(57)【要約】【課題】  反転トリレンマを補正すると共にリンギングを抑制することができる偏向ヨークを提供する。【解決手段】  一対の水平偏向コイル（１）と環状のコア（３）に巻回された一対のトロイダル型垂直偏向コイル（２）とを備え、垂直偏向コイル（２）は、バレル磁界を発生させる第１のコイル（５）とピンクッション磁界を発生する第２のコイル（６）とを有し、この第２のコイルと互いに逆極性に並列接続された２個のダイオード（１１）とを直列接続し、第１のコイルと第２のコイル及びダイオードとを並列接続して成り、第１のコイルの巻回範囲の中央を含む所定の範囲（Ｅ２）を第１のコイルの両端部側（Ｅ１）よりも疎に巻回し、この疎巻回範囲において第２のコイルを第１のコイルの上に巻回して成る。【選択図】      図１
2005158683.tif 000002
【特許請求の範囲】
【請求項１】
一対の鞍型水平偏向コイルと環状のコアと該コアに巻回された一対のトロイダル型垂直偏向コイルとを備え、
前記垂直偏向コイルは、バレル磁界を発生させる第１のコイルとピンクッション磁界を発生する第２のコイルとを有して成り、
前記第２のコイルと互いに逆極性に並列接続された２個のダイオードとを直列接続し、前記第１のコイルと前記第２のコイル及び前記ダイオードとを並列接続して成る偏向ヨークにおいて、
前記第１のコイルの前記コアに沿った電線巻回範囲の中央を含む所定の範囲を前記電線巻回範囲の両端部側よりも疎に巻回した疎巻回範囲とし、略該疎巻回範囲において前記第２のコイルを前記第１のコイルの上に巻回して成ることを特徴とする偏向ヨーク。
【請求項２】
前記第１のコイルは電線が複数の層に巻回されて成り、
前記鞍型水平偏向コイルからの水平偏向磁界により発生する、前記各層間で隣接する電線の誘起電圧を、略同電位にして成ることを特徴とする請求項１記載の偏向ヨーク。
【請求項３】
前記コアに、前記第１のコイルを前記所定範囲が疎になるよう連続して巻回する第１のコイル巻回工程と、
略前記所定範囲の前記第１のコイル上に前記第２のコイルを巻回する第２のコイル巻回工程と、を有することを特徴とする請求項１または請求項２記載の偏向ヨークを製造する偏向ヨークの製造方法。
【発明の詳細な説明】
【技術分野】
【０００１】
本発明は、インライン型の電子銃を備えたカラー陰極線管に装着される偏向ヨーク及びその製造方法に関する。
【背景技術】
【０００２】
インライン型の電子銃を備えたカラー陰極線管に装着される偏向ヨークであって、スクリーン面上に生じるいわゆる反転トリレンマを補正するように構成されたものとして特許文献１に記載された偏向ヨークがある。
【０００３】
この偏向ヨークは、搭載している一対の垂直偏向コイルのそれぞれが、ピンクッション磁界発生用のコイル（以下、ＰＣコイルと称する）とバレル磁界発生用のコイル（以下、Ｂコイルと称する）とに分割巻回された一対のコイルを２組備えて成るものであり、その内の２つのＰＣコイルと、逆極性で並列に接続された２個のダイオードとが直列に接続されてなるものである。
【０００４】
特に、水平偏向コイルがサドル（鞍型）コイルであり、垂直偏向コイルがトロイダルコイルで構成されるサドル・トロイダル型偏向ヨーク（以下、ＳＴ型偏向ヨークと称する）の場合、この垂直偏向コイルは、図１５（特許文献１の第６図に相当する）に示すように、コア１３０に対してその周方向に沿ってＢコイル１４５、ＰＣコイル１４６、Ｂコイル１４５の順に巻回されている。
当図では、コア１３０の内側のそれを保持するセパレータ１０４と、さらにその内側の水平偏向コイル１４４とを併せて示している。
【０００５】
コア１３０に巻回したＢコイル１４５及びＰＣコイル１４６は、そのトロイダルに巻回した部分の中間部位置に中間タップ１４８，１４７が設けられて分割され、また、この中間タップ１４８，１４７を介して結線されている。
具体的には、Ｂコイル１４５は中間タップ１４８とＢコイル１４５の最両端部から引き出されるリード１４９とにより、また、ＰＣコイル１４６は中間タップ１４７により結線される（リード１４９は特許文献１の第６図においては省略されている）。
【特許文献１】特開平１−２２５０４５号公報
【発明の開示】
【発明が解決しようとする課題】
【０００６】
ところで、ＳＴ型偏向ヨークにおける垂直偏向コイルは、複数の層に積層して巻回されることは周知であり（例えば、特開平７−２４９３８６号公報，特開平５−３２５８３０号公報に記載されている）、これにより偏向ヨークとして必要な特性が確保される。
【０００７】
垂直偏向コイル１０２を複数層に積層して巻回する場合の例を、図１６に示す。
当図は、模式的断面図であり、Ｂコイル１４５の電線の断面を白丸で、ＰＣコイル１４６の電線の断面を黒丸で示している。また、それぞれのコイル１４５，１４６の巻き始めの線を符号Ｓとし、巻き終わりの線を符号Ｆとして示している。また、コア１３０の内側の巻線断面は省略している。
【０００８】
この図から、垂直偏向コイル１０２を複数層に積層して巻回する場合、ＰＣコイル１４６と２つのＢコイル１４５とをコア１３０に対してそれぞれ独立して積層巻回し中間タップ１４７，１４８を設けなければならないことがわかる。換言すれば、中間タップ１４７，１４８を設ける場合は、少なくともＢコイル１４５を２つに分割し、それぞれを独立して複数層に積層巻回しなければならない。
【０００９】
しかしながら、この巻回方法では、リンギングという不具合現象が顕著になるという問題があった。
このリンギングとは、スクリーン面上における輝線のゆらぎであり、図１７で示すような、スクリーン面２０１上の左端に周期的な濃淡縞２０２が発生する現象である。これの発生原因について説明する。
コア１３０の内側に配置された水平偏向コイル１４４（図１５参照）から発生した磁界が、コア１３０の内部を通ることにより、垂直偏向コイル１０２に水平偏向周期の誘起電圧が発生する。
この誘起された電圧が垂直偏向コイル１０２の線間の分布容量に充放電することで振動電流が流れ、その電流によりリンギング磁界が形成されてラスタリンギングが生じる。特に水平偏向電流の周波数成分が高い水平帰線期間直後の画面左端でその発生が顕著となる。
【００１０】
これについて、図１８を用いて詳述する。
破線の矢印７０１はコア１３０の内部における画面左側偏向時の水平偏向磁界の向きを表している。
【００１１】
Ｂコイル１４５−Ｌは、スタートＳ側中間タップ１４８から１層目として電線１２から電線１１へ巻回され、次に２層目として電線２２から電線２１へ巻回され、さらに３層目として電線３２から電線３１へと巻回され、フィニッシュｆ側中間タップ１４９に延出されている。
【００１２】
一方、Ｂコイル１４５−Ｒは、スタートＳ側中間タップ１４９から１層目として電線１４から電線１３へ巻回され、次に２層目として電線２４から電線２３へ巻回され、さらに３層目として電線３４から電線３３へと巻回され、フィニッシュｆ側中間タップ１４８に延出されている。
【００１３】
このとき、Ｂコイル１４５−Ｌ（図の左側のコイル）に発生する誘起電圧については、巻終わり線１４９の電位を基準０（ゼロ）とし、１層あたりの誘起電圧（すなわち、電線３１〜３２間，電線２１〜２２間，電線１１〜１２間の各誘起電圧）をＶｃとすると、３層目の電線３２及び２層目の電線２１の電位が同電位で＋Ｖｃであり、２層目の電線２２及び１層目の電線１１の電位が同電位で＋２Ｖｃであり、１層目の電線１２の電位が＋３Ｖｃである。
【００１４】
同様に、Ｂコイル１４５−Ｒ（図の右側のコイル）に発生する誘起電圧については、巻始め線１４９の電位を基準０（ゼロ）とし、１層あたりの誘起電圧をＶｃとすると、１層目の電線１３及び２層目の電線２４の電位が同電位で＋Ｖｃ、２層目の電線２３及び３層目の電線３４の電位が＋２Ｖｃ、３層目の電線３３の電位が＋３Ｖｃとなる。
【００１５】
従って、各層間の隣り合う電線間にＶｃの電位差が生じて線間分布容量が増大し、顕著なリンギングが発生していた。
つまり、反転トリレンマの補正をするためにＰＣコイル１４６と２つのＢコイル１４５に分割して巻回すると、Ｂコイル１４５の分布容量増加に伴うリンギングが顕著に発生するという問題があり、これを解決することが偏向ヨークに求められていた。
【００１６】
そこで、本発明の目的は、反転トリレンマを補正すると共にリンギングを抑制することができる偏向ヨーク及びその製造方法を提供することにある。
【課題を解決するための手段】
【００１７】
上記の課題を解決するために、本願発明は手段として次の構成を有する。
即ち、請求項１に係る発明は、一対の鞍型水平偏向コイル（１）と環状のコア（３）と該コア（３）に巻回された一対のトロイダル型垂直偏向コイル（２）とを備え、前記垂直偏向コイル（２）は、バレル磁界を発生させる第１のコイル（５）とピンクッション磁界を発生する第２のコイル（６）とを有して成り、前記第２のコイル（６）と互いに逆極性に並列接続された２個のダイオード（１１）とを直列接続し、前記第１のコイル（５）と前記第２のコイル（６）及び前記ダイオード（１１）とを並列接続して成る偏向ヨークにおいて、
前記第１のコイル（５）の前記コア（３）に沿った電線巻回範囲（Ｅ１，Ｅ２，Ｅ１）の中央を含む所定の範囲を前記電線巻回範囲（Ｅ１，Ｅ２，Ｅ１）の両端部側よりも疎に巻回した疎巻回範囲（Ｅ２）とし、略該疎巻回範囲（Ｅ２）において前記第２のコイル（６）を前記第１のコイル（５）の上に巻回して成ることを特徴とする偏向ヨーク（５０）である。
また、請求項２に係る発明は、  前記第１のコイル（５）は電線が複数の層に巻回されて成り、前記鞍型水平偏向コイル（１）からの水平偏向磁界（７０１）により発生する、前記各層間で隣接する電線（１２，２１，３１）（１２，２２，３２）の誘起電圧を、略同電位（０，Ｖｃ）にして成ることを特徴とする請求項１記載の偏向ヨーク（５０）。
【００１８】
また、本願発明は手段として次の手順を有する。
即ち、請求項２に係る発明は、前記コア（３）に前記第１のコイル（５）を前記所定範囲（Ｅ２）が疎になるよう連続して巻回する第１のコイル巻回工程と、略前記所定範囲（Ｅ２）の前記第１のコイル（５）上に前記第２のコイル（６）を巻回する第２のコイル巻回工程と、を有することを特徴とする請求項１または請求項２記載の偏向ヨーク（５０）を製造する偏向ヨークの製造方法である。
【発明の効果】
【００１９】
本発明によれば、反転トリレンマの補正と共にリンギングの抑制が可能であるという効果を奏する。
【発明を実施するための最良の形態】
【００２０】
本発明の実施の形態を、好ましい実施例により図１〜図１４を用いて説明する。
図１は、本発明の偏向ヨークの実施例における横断面図である。
図２は、本発明の偏向ヨークの実施例に搭載した回路を説明する図である。
図３は、本発明の偏向ヨークの製造方法の実施例を説明する第１の図である。
図４は、本発明の偏向ヨークの製造方法の実施例を説明する第２の図である。
図５は、本発明の偏向ヨークの製造方法の実施例を説明する第３の図である。
図６は、本発明の偏向ヨークの製造方法の実施例を説明する第４の図である。
図７は、本発明の偏向ヨークの製造方法の実施例を説明する第５の図である。
図８は、本発明の偏向ヨークの製造方法の実施例を説明する第６の図である。
図９は、本発明の偏向ヨークの製造方法の実施例を説明する第７の図である。
図１０は、本発明の偏向ヨークの製造方法の実施例を説明する第８の図である。
図１１は、本発明の偏向ヨークの製造方法の実施例を説明する第９の図である。
図１２は、本発明の偏向ヨークの実施例を示す外観斜視図である。
図１３は、疎に巻回された部分を有するコイルの一例を説明する図である。
図１４は、本発明の偏向ヨークの実施例における誘起電圧を説明する図である。
【００２１】
図１２（Ａ）は、実施例の偏向ヨーク５０の概略斜視図であり、図１２（Ｂ）は概略側面図である。
これらの図において、この偏向ヨーク５０は、一対の鞍型水平偏向コイル１，１と、環状のコア３と、このコア３に巻回された一対のトロイダル型垂直偏向コイル２，２と、水平偏向コイル１とコア３とをそれぞれ内側と外側とに絶縁して保持する漏斗状セパレータ４と、後述する回路１２を有する基板１３とを備えている。
セパレータ４の後方側の端部（図の右側）にはネック部４Ａが形成され、このネック部４Ａが図示しない陰極線管のネック部に締めつけられて偏向ヨーク５０は陰極線管に装着される。
【００２２】
一対の垂直偏向コイル２，２は、それぞれ、ＰＣコイル６とＢコイル５とよりなる一対のコイルを２組備えており、このＰＣコイル６及びＢコイル５は、図２に示す回路１２のように接続されている。
即ち、ＰＣコイル６，６と逆極性に並列接続された２個のダイオード１１，１１とを直列接続する一方、この直列接続したＰＣコイル６，６及びダイオード１１，１１と、直列接続されたＢコイル５，５とが並列接続されているものである。
【００２３】
また、この回路１２においては、各コイルと並列に、そのコイルの両端のダンピングをするダンピング抵抗が接続されると共に、Ｂコイル５，５のそれぞれに流れる電流比率を調整するボリューム１２ＶＲが接続されている。この電流比率調整により、スクリーン面における所謂Ｙｖミスコンバーゼンスを補正することができる。
【００２４】
また、一対のダイオード１１と並列にこのダイオードがスイッチングオンするタイミングを設定する抵抗１２ＲＤが接続されている。
従って、この回路１２は、回路を流れる垂直偏向電流値が所定値になると一方のダイオード１１がターンオンし、Ｂコイル５，５に流れる電流値が減少しＰＣコイル６，６の電流値が増加するように構成されている。
それにより、スクリーン面の上下領域における磁界がピンクッションになり、反転トリレンマを補正することができる。
【００２５】
次に、上述した環状コア３に巻回された一対の垂直偏向コイル２について図１を用いて詳述する。
図１は、図１２（Ｂ）におけるＤ−Ｄ横断面図であり、セパレータ４と水平偏向コイル１とが省略された図である。また、環状コア３は、この図の上下で分割してそれぞれにコイルが巻回されており、一対の垂直偏向コイル２は点対称となっている。
そこで、以下の説明においては、代表して上側の垂直偏向コイル２について説明する。
【００２６】
この垂直偏向コイル２は、上述したＢコイル５、即ち、バレル磁界発生用コイル５（以下、Ｂコイル５と称する）と、上述したＰＣコイル６、即ち、ピンクッション磁界発生用コイル６（以下、ＰＣコイル６と称する）とを備えている。
当図は、Ｂコイル５の電線の断面を白丸で、ＰＣコイル６の電線の断面を黒丸で示し、それぞれのコイル５，６の巻き始めの線を符号５Ｓ，６Ｓとし、巻き終わりの線を符号５ｆ，６ｆとして示している。
【００２７】
Ｂコイル５は、水平軸Ｘを０°としたときに、コア３に対してその水平軸Ｘから測って角度θ１以上で角度θ２未満となる範囲Ｅ１においては、密に巻回され、角度θ２以上の範囲Ｅ２においては、疎に巻回されている。
ＰＣコイル６は、Ｂコイル５の上に、水平軸Ｘから測って角度θ２以上で角度θ３未満となる範囲Ｅ３においては、密に巻回され、角度θ３以上の範囲Ｅ４においては、疎に巻回されている。
【００２８】
ここで言う「密に巻回される」とは、隣接する巻線同士が略接触するように整列して巻回されることを意味し、「疎に巻回される」とは、隣接する巻線同士が離間して巻回されることを意味する。
従って、「疎に巻回される」には、例えば、図１３における範囲Ｅ２の渡り線Ｌ４のような巻回を含む。この図１３は、Ｂコイル５の範囲Ｅ２を疎に巻回した一例である。
【００２９】
図１に戻り、Ｂコイル５からは、その巻き始め線５ｓと巻き終わり線５ｆとが引き出され、ＰＣコイル６からは、その巻き始め線６ｓと巻き終わり線６ｆとが引き出されている。これらの巻き始め線５ｓ，６ｓ及び巻き終わり線５ｆ，６ｆは、図２に示すように結線され回路１２を構成する。
【００３０】
この実施例においては、Ｂコイル５，ＰＣコイル６共、３層に巻回されている。
例えば、Ｂコイル５においては、図の左方における１層目の巻き始めの点ＢＳ１から図の矢印ＴＲ方向（時計回り）に巻回し、１層目の巻き終わり点ＢＦ１（図の右方）から２層目の巻き始め点ＢＳ２（図の左方）に戻るように巻回する。
この巻回方向は各層で同様であり、ＰＣコイル６についても同様である。
ここでの戻り線は当図において省略してあり、その詳細は後述する。
【００３１】
このように、Ｂコイル５は、中間タップが無く、複数のコイルで分割されていない１つのコイルとして巻回される。このＢコイル５における誘起電圧について図１４を用いて説明する。
【００３２】
この図において、破線の矢印７０１は、スクリーン画面左側偏向時のコア３内部における水平偏向磁界の向きを示している。
この状態でＢコイル５に発生する誘起電圧については、巻き始め線５ｓの電位を基準０（ゼロ）とし、範囲Ｅ１における１層当たりの誘起電圧をＶｃとすると、１層目の電線１１の電位が０（ゼロ）であり、電線１２及び電線１３の電位が同電位で＋Ｖｃであり、電線１４は０（ゼロ）となる。
２層目の電線２１は１層目の電線１４と同電位で０（ゼロ）であり、電線２２及び電線２３の電位は同電位で＋Ｖｃであり、電線２４は０（ゼロ）である。
同様に、３層目の電線３１の電位は０（ゼロ）であり、電線３２及び電線３３の電位が同電位で＋Ｖｃであり、電線３４の電位は０となる。
【００３３】
つまり、各層毎の電位分布が等しいので各層間で隣接する電線間がほぼ同電位となる。その結果、線間分布容量が極めて小さくなり、リンギングの発生量が極めて少なくなる。
【００３４】
また、環状コア３にＢコイル５を巻回する際に、そのＢコイル５の所定範囲Ｅ２の巻回を他の範囲Ｅ１の巻回より疎にし、その疎に巻回した所定範囲Ｅ２上にＰＣコイル６を重ねて巻回することで、従来のようにＢコイルとＰＣコイルとを分割してコアの表面に沿って並列巻回（配置）した場合に比べて、相互誘導によるリンギングが格段に少なくなることを本願発明者らは見いだした。
さらに鋭意検討の結果、発明者らは、上述した所定範囲Ｅ１を規定する角度θ２の好ましい範囲について見いだした。
【００３５】
即ち、角度θ２を、水平軸Ｘを０°として５０°±５°の範囲内にすると、リンギングの発生を顕著に抑制することができて好ましく、角度θ２が５０°とすることで、リンギングの発生を抑制してこれを最小にすることができるのである。
【００３６】
上述したように、この実施例によれば、自己誘導によるリンギング発生が極めて小さく、さらに相互誘導によるリンギング発生も極めて小さいので、反転トリレンマの補正をしつつリンギング発生を極めて少なくすることができる。
【００３７】
＜製造方法＞
次に、上述した実施例の垂直偏向コイル２を巻線する巻線方法について図３〜図１１を用いて説明する。
図３〜図１１は、環状コア３を偏向ヨーク５０のネック部４Ａ（図１２参照）側から見た図である。環状コア３への巻線は、環状コア３を分割した半割れのコア３ａに対して以下に示す工程により行う。各図においては、巻回する電線の先端側（これから巻回する側）を矢印で示している。
【００３８】
（工程Ａ）＜図３参照＞
コア３ａの一方側（図３の左側）をスタート線５ｓとして、そこから時計回り方向に電線を巻回する。
この時、当図のように、水平軸Ｘ（０°）から所定の角度θ１経た点ＢＳ１から所定の角度θ２の点ＢＴａ迄の領域Ｅ１を密に巻回し、角度θ２以上の領域Ｅ２（点ＢＴａ−点ＢＴｂ間）を領域Ｅ１よりも疎に巻回する。
【００３９】
（工程Ｂ）＜図４参照＞
電線を、コア３ａの他方側（図４の右側）における所定の角度θ１の位置ＢＦ１まで巻回したら、一方側の角度θ１における２層目の位置ＢＳ２に戻す。この時、点ＢＦ１と点ＢＳ１との間の電線はコア表面に沿った戻り線Ｌ１となる。
【００４０】
（工程Ｃ）＜図５参照＞
（工程Ａ）と（工程Ｂ）とを繰り返し、所定の積層数ｎとなるまで電線を巻回する。これによりＢコイル５が形成される。
【００４１】
（工程Ｄ）＜図６参照＞
所定の積層数巻回した工程Ｃの後、電線を角度θ１の巻き終わりの位置ＢＦｎから長く引き出して引き出し電線Ｌ２とする。この引き出し電線Ｌ２は、引き続いてＰＣコイル６を巻回するので、ここでは切断しない。
【００４２】
（工程Ｅ）＜図６参照＞
引き出し電線Ｌ２をたるませながら点ＢＴａに戻す。
この点ＢＴａはＰＣコイル６の巻き始めの点ＰＣＳでもあるが、両点は概ね一致していればよい。
【００４３】
（工程Ｆ）＜図７，図８参照＞
電線を点ＰＣＳから時計回り方向に点ＢＴｂと略同一の点ＰＣＦまで巻回する。この実施例では中央の範囲Ｅ４において電線を疎に巻回している。
この巻回は、先に巻回したＢコイル５の範囲Ｅ２の部分に積層するように行うものである。
【００４４】
図７以降の図においては、Ｂコイル５の密に巻回した部分をハッチングで示し、疎に巻回した部分の電線を省略している。
【００４５】
（工程Ｇ）＜図８，図９参照＞
電線を点ＰＣＦから再び点ＰＣＳに戻す。この時、点ＰＣＦから点ＰＣＳまで戻る電線は、Ｂコイル５の外側を通る戻り線Ｌ３となる。
【００４６】
（工程Ｈ）＜１０参照＞
（工程Ｆ）と（工程Ｇ）とを繰り返し、所定の積層数ｍとなるまで電線を巻回する。これによりＰＣコイル６が形成される。電線をｍ層巻回したら、点ＰＣＦから電線を引き出す。
【００４７】
（工程Ｉ）＜図１１参照＞
（工程Ｄ）で引き出した引き出し電線Ｌ２を切断し、ＰＣコイル６側のスタート線である線６ｓと、Ｂコイル５側のフィニッシュ線となる線５ｆとに分ける。
そして、これらの線５ｓ，５ｆと、（工程Ａ）での巻き始めの線５ｓと、（工程Ｈ）で引き出した電線６ｆと、を各コイルのリードとして末端処理する。
【００４８】
以上の手順により垂直偏向コイル（Ｂコイル５及びＰＣコイル６）２が形成されるので、この方法で得られた４本のリードを図２に示す回路１２のように結線し偏向ヨーク５０を製造すればよい。
【００４９】
本実施例の方法によれば、垂直偏向コイル２のＢコイル５が複数のコイルで分割されていないので、これを複数層に巻回しても自己誘導は極めて小さい。
従って、水平偏向コイル１からの洩れ磁界がこの自己誘導による誘導起電力に作用してもその誘導起電力は僅かであるので、発生するリンギング量を極めて小さくすることができる。
【００５０】
一方、コア３ａに対してまずＢコイル５を巻回し、そのＢコイル５の所定範囲Ｅ２を他の範囲Ｅ１より疎に巻回し、その所定範囲Ｅ１上にＰＣコイル６を重ねて巻回することで、従来のようなＢコイル５とＰＣコイル６とを分割してコア３ａの表面に沿って並ぶように巻線した場合と比べて相互誘導によるリンギングが格段に少なくなる。
【００５１】
本発明の実施例は、上述した構成及び手順に限定されるものではなく、本発明の要旨を逸脱しない範囲において変形例としてもよいのは言うまでもない。
【００５２】
Ｂコイル５の積層巻回数ｎ及びＰＣコイル６の積層巻回数ｍは、偏向ヨークの特性に応じて自由に設定することができる。
また、Ｂコイル５を密に巻回する範囲Ｅ１を決める角度θ１及び角度θ２も自由に設定することができる。ただし、上述したように、角度θ２を水平軸Ｘから５０°に対して±５°の範囲内に設定することが好ましく、さらには５０°とすることが最も好ましい。
また、Ｂコイル５を疎に巻回する場合の隣接する巻線同士の間隔は適設定することができる。
また、Ｂコイル５において、範囲Ｅ１を密に巻回する例を説明したが、この範囲を疎に巻回し、範囲Ｅ２を範囲Ｅ１よりもさらに疎に巻回するようにしてもよい。
【図面の簡単な説明】
【００５３】
【図１】本発明の偏向ヨークの実施例における横断面図である。
【図２】本発明の偏向ヨークの実施例に搭載した回路を説明する回路図である。
【図３】本発明の偏向ヨークの製造方法の実施例を説明する第１の図である。
【図４】本発明の偏向ヨークの製造方法の実施例を説明する第２の図である。
【図５】本発明の偏向ヨークの製造方法の実施例を説明する第３の図である。
【図６】本発明の偏向ヨークの製造方法の実施例を説明する第４の図である。
【図７】本発明の偏向ヨークの製造方法の実施例を説明する第５の図である。
【図８】本発明の偏向ヨークの製造方法の実施例を説明する第６の図である。
【図９】本発明の偏向ヨークの製造方法の実施例を説明する第７の図である。
【図１０】本発明の偏向ヨークの製造方法の実施例を説明する第８の図である。
【図１１】本発明の偏向ヨークの製造方法の実施例を説明する第９の図である。
【図１２】本発明の偏向ヨークの実施例を示す外観斜視図である。
【図１３】疎に巻回された部分を有するコイルの一例を説明する図である。
【図１４】本発明の偏向ヨークの実施例における誘起電圧を説明する図である。
【図１５】従来の偏向ヨークを説明する横断面図である。
【図１６】従来の偏向ヨークにおける垂直偏向コイルを説明する概略断面図である。
【図１７】リンギングを説明する図である。
【図１８】従来の偏向ヨークにおける誘起電圧を説明する図である。
【符号の説明】
【００５４】
１  水平偏向コイル
２  垂直偏向コイル
３，３ａ  コア
４  セパレータ
４Ａ  ネック部
５  バレル磁界発生用コイル（Ｂコイル）
６  ピンクッション磁界発生用コイル（ＰＣコイル）
５ｓ，６ｓ  巻き始め線
５ｆ，６ｆ  巻き終わり線
１１  ダイオード
１２  回路
１３  基板
５０  偏向ヨーク
ＢＳ１〜ＢＳｎ，ＰＣＳ  巻き始めの点
ＢＦ１〜ＢＦｎ，ＰＣＦ  巻き終わりの点
ＢＴａ，ＢＴｂ  点
Ｅ１〜Ｅ４  範囲
Ｅ２  疎巻回範囲
Ｌ１，Ｌ３  戻り線
Ｌ２  引き出し電線
Ｌ４  渡り線
ｎ，ｍ  積層巻回数
Ｘ  水平軸
θ１〜θ３  角度
【図１】
2005158683.tif 000003
【図２】
2005158683.tif 000004
【図３】
2005158683.tif 000005
【図４】
2005158683.tif 000006
【図５】
2005158683.tif 000007
【図６】
2005158683.tif 000008
【図７】
2005158683.tif 000009
【図８】
2005158683.tif 000010
【図９】
2005158683.tif 000011
【図１０】
2005158683.tif 000012
【図１１】
2005158683.tif 000013
【図１２】
2005158683.tif 000014
【図１３】
2005158683.tif 000015
【図１４】
2005158683.tif 000016
【図１５】
2005158683.tif 000017
【図１６】
2005158683.tif 000018
【図１７】
2005158683.tif 000019
【図１８】
2005158683.tif 000020